(57)【要約】【課題】  本発明は、ユーザの使い勝手を向上させ得る記録再生装置を提案する。【解決手段】  複数種類の光ディスクに所定のデータを記録し、又は光ディスクに記録されたデータを再生する光ディスクドライブと、データを記録又は再生するハードディスクドライブとを有する記録再生装置において、光ディスクにデータを最適化して記録するためのパラメータを選定する選定手段と、光ディスクから読み出された当該光ディスクの識別コードと、選定手段により選定されたパラメータとを対応づけてハードディスクドライブに記録すると共に、光ディスクの識別コードが読み出されたときに、当該識別コードに応じたパラメータをハードディスクドライブから読み出し、パラメータに基づいて、光ディスクにデータを記録するように制御する制御手段とを設けるようにした。【選択図】        図１
2006309845.tif 000002
【特許請求の範囲】
【請求項１】
複数種類の光ディスクに所定のデータを記録し、又は上記光ディスクに記録された上記データを再生する光ディスクドライブと、上記データを記録又は再生するハードディスクドライブとを有する記録再生装置において、
上記光ディスクに上記データを最適化して記録するためのパラメータを選定する選定手段と、
上記光ディスクから読み出された当該光ディスクの識別コードと、上記選定手段により選定された上記パラメータとを対応づけて上記ハードディスクドライブに記録すると共に、上記光ディスクの識別コードが読み出されたときに、当該識別コードに応じた上記パラメータを上記ハードディスクドライブから読み出し、上記パラメータに基づいて、上記光ディスクに上記データを記録するように制御する制御手段と
を具えることを特徴とする記録再生装置。
【請求項２】
上記光ディスクドライブは、
上記ハードディスクドライブに記録された上記パラメータのうち、使用頻度の高い所定数の上記パラメータを格納するためのメモリ
を有し、
上記制御手段は、
上記光ディスクの識別コードが読み出されたときに、当該光ディスクの識別コードに応じた上記パラメータが上記メモリに格納されている場合には、当該パラメータを上記メモリから読み出すように制御する
ことを特徴とする請求項１に記載の記録再生装置。
【請求項３】
上記制御手段は、
上記識別コードごとの上記パラメータの使用頻度を統計して、当該統計結果を上記ハードディスクドライブに記録すると共に、当該統計結果に基づいて上記使用頻度の高い所定数の上記パラメータを、上記ハードディスクドライブから読み出して上記メモリに格納するように制御する
ことを特徴とする請求項２に記載の記録再生装置。
【請求項４】
上記制御手段は、
上記光ディスクの識別コードが読み出されたときに、当該識別コードに応じた上記パラメータを上記ハードディスクドライブから読み出して上記メモリに格納すると共に、上記パラメータに基づいて、上記光ディスクに上記データを記録するように制御する
ことを特徴とする請求項２に記載の記録再生装置。
【請求項５】
上記選定手段は、
上記光ディスクに上記データを最適化して記録するための記録レーザパワー、ライトストラテジ及び上記光ディスクの機械的な反り値を上記パラメータとしてそれぞれ選定する
ことを特徴とする請求項１に記載の記録再生装置。
【請求項６】
上記制御手段は、
上記光ディスクの種類ごとの使用頻度を統計して、上記ハードディスクドライブに記録すると共に、上記光ディスクの種類を判別するときに、上記使用頻度の高い上記光ディスクから判別を開始するように制御する
ことを特徴とする請求項１に記載の記録再生装置。
【請求項７】
上記光ディスクが上記粗悪な光ディスクであると識別する識別手段と、
上記パラメータを選定することができない粗悪な光ディスクをユーザに通知するための通知手段と
を具え、
上記制御手段は、
上記識別手段により上記光ディスクが上記粗悪な光ディスクであると識別したときに、上記粗悪な光ディスクであることをユーザに通知するように上記通知手段を制御する
ことを特徴とする請求項１に記載の記録再生装置。
【請求項８】
上記制御手段は、
上記識別手段により識別された粗悪な光ディスクから読み出された当該粗悪な光ディスクの識別コードを、上記ハードディスクドライブに記録すると共に、上記粗悪な光ディスクの識別コードが読み出されたときに、上記ハードディスクドライブに記録されている当該粗悪な光ディスクの識別コードに基づいて、ユーザに上記粗悪な光ディスクであることを通知するように上記通知手段を制御する
ことを特徴とする請求項７に記載の記録再生装置。
【請求項９】
上記制御手段は、
上記粗悪な光ディスクが連続して使用されたときに、ユーザに上記粗悪な光ディスクの使用履歴を通知するように上記通知手段を制御する
ことを特徴とする請求項８に記載の記録再生装置。
【請求項１０】
複数種類の光ディスクに所定のデータを記録し、又は上記光ディスクに記録された上記データを再生する光ディスクドライブと、上記データを記録又は再生するハードディスクドライブとを有する記録再生装置の制御方法において、
上記光ディスクに上記データを最適化して記録するためのパラメータを選定する第１のステップと、
上記光ディスクから読み出された当該光ディスクの識別コードと、上記第１のステップにおいて選定した上記パラメータとを対応づけて上記ハードディスクドライブに記録する第２のステップと、
上記光ディスクの識別コードが読み出されたときに、当該識別コードに応じた上記パラメータを上記ハードディスクドライブから読み出し、上記パラメータに基づいて、上記光ディスクに上記データを記録する第３のステップと
を具えることを特徴とする記録再生装置の制御方法。
【請求項１１】
複数種類の光ディスクに所定のデータを記録し、又は上記光ディスクに記録された上記データを再生する光ディスクドライブと、上記データを記録又は再生するハードディスクドライブとを有する記録再生装置に対して、
上記光ディスクに上記データを最適化して記録するためのパラメータを選定する第１の処理と、
上記光ディスクから読み出された当該光ディスクの識別コードと、上記第１のステップにおいて選定した上記パラメータとを対応づけて上記ハードディスクドライブに記録する第２の処理と、
上記光ディスクの識別コードが読み出されたときに、当該識別コードに応じた上記パラメータを上記ハードディスクドライブから読み出し、上記パラメータに基づいて、上記光ディスクに上記データを記録する第３の処理と
を実行させることを特徴とするプログラム。
【請求項１２】
複数種類の光ディスクに所定のデータを記録し、又は上記光ディスクに記録された上記データを再生する光ディスクドライブと、上記データを記録又は再生するハードディスクドライブとを有する記録再生装置と、所定のネットワークを介して上記記録再生装置と接続される情報処理装置とからなる情報共有システムにおいて、
上記記録再生装置は、
上記光ディスクに上記データを最適化して記録するためのパラメータを選定する選定手段と、
上記光ディスクから読み出された当該光ディスクの識別コードと、上記選定手段により選定された上記パラメータとを対応づけて上記ハードディスクドライブに記録すると共に、上記光ディスクの識別コードが読み出されたときに、当該識別コードに応じた上記パラメータを上記ハードディスクドライブから読み出し、上記パラメータに基づいて、上記光ディスクに上記データを記録するように制御する制御手段と、
上記情報処理装置に記録されていない上記識別コードに応じた上記パラメータを上記ネットワークを介して上記情報処理装置に送信する送信手段と
を具え、
上記情報処理装置は、
上記記録再生装置から上記ネットワークを介して送信された上記パラメータを保持するための保持手段と、
上記記録再生装置に記録されていない上記識別コードに応じた上記パラメータを上記ネットワークを介して上記記録再生装置に送信する送信手段と
を具えることを特徴とする情報共有システム。
【請求項１３】
上記記録再生装置は、
上記光ディスクが上記粗悪な光ディスクであると識別する識別手段と、
上記パラメータを選定することができない粗悪な光ディスクをユーザに通知するための通知手段と
を具え、
上記記録再生装置の上記制御手段は、
上記識別手段により識別された粗悪な光ディスクから読み出された当該粗悪な光ディスクの識別コードを上記ハードディスクドライブに記録すると共に、上記粗悪な光ディスクの識別コードが読み出されたときに、上記ハードディスクドライブに記録されている当該粗悪な光ディスクの識別コードに基づいて、ユーザに上記粗悪な光ディスクであることを通知するように上記通知手段を制御し、
上記記録再生装置の送信手段は、
上記情報処理装置に記録されていない上記粗悪な光ディスクの識別コードを上記ネットワークを介して上記情報処理装置に送信し、
上記情報処理装置の保持手段は、
上記記録再生装置から上記ネットワークを介して送信された上記粗悪な光ディスクの識別コードを保持し、
上記情報処理装置の送信手段は、
上記記録再生装置に記録されていない上記粗悪な光ディスクの識別コードを上記ネットワークを介して上記記録再生装置に送信する
ことを特徴とする請求項１２に記載の情報共有システム。
【請求項１４】
複数種類の光ディスクに所定のデータを記録し、又は上記光ディスクに記録された上記データを再生する光ディスクドライブと、上記データを記録又は再生するハードディスクドライブとを有する記録再生装置において、
上記光ディスクの種類ごとの使用頻度を統計して、上記ハードディスクドライブに記録すると共に、上記光ディスクの種類を判別するときに、上記使用頻度の高い上記光ディスクから判別を開始するように制御する制御手段
を具えることを特徴とする記録再生装置。
【発明の詳細な説明】
【技術分野】
【０００１】
本発明は、記録再生装置及びその制御方法、プログラム並びに情報共有システムに関し、例えば光ディスクドライブ及びハードディスクドライブを同一筐体内に搭載した記録再生装置に適用して好適なものである。
【背景技術】
【０００２】
従来、光ディスクドライブ及びハードディスクドライブを同一筐体内に搭載すると共に、制御部とのインターフェース、電源供給コネクタ及び通信状態や媒体へのアクセス状態を表示するアクセスランプを共用するようになされた記録再生装置が提案されている。
【０００３】
この記録再生装置では、光ディスクドライブ又はハードディスクドライブの基本的な制御を行なうためのソフトウエアであるファームウエアの書き込まれた所定の光ディスクが光ディスクドライブに装填されると、当該ファームウエアを光ディスクドライブを介して読み出すことによって、当該光ディスクドライブ又はハードディスクドライブ内の不揮発性メモリに記憶されているファームウエアを更新し得るようになされている（例えば特許文献１参照）。
【特許文献１】特開２００２−２８８９６４公報
【発明の開示】
【発明が解決しようとする課題】
【０００４】
ところで、かかる構成の記録再生装置の光ディスクドライブにおいては、ＣＤ−ＲＯＭ（Compact Disc - Read Only Memory）、ＣＤ−Ｒ（CD - Recordable）、ＣＤ−ＲＷ（CD - ReWritable）、ＤＶＤ−ＲＯＭ（Digital Versatile Disc - ROM）、ＤＶＤ±ＲやＤＶＤ±ＲＷ等の様々な種類の光ディスクに対応するようになされている。
【０００５】
そして光ディスクドライブにおいては、これら各種の光ディスクそれぞれについて、最適化して記録するための記録レーザパワーやレーザ出力タイミング及びレーザ出力パターンを示すライトストラテジなどの記録制御パラメータを、上述のファームウエアと同様に光ディスクドライブ内の不揮発性メモリに記憶し、当該記録制御パラメータに基づいて最適化して光ディスクに記録させるようになされている。
【０００６】
しかしながら、例えば光ディスクの種類だけでなく製造メーカや商品、製造ロット等によっても記録制御パラメータが異なるために、同一の種類の光ディスクに対して、同一の記録制御パラメータを用いた場合でも最適化して記録することができないというおそれがあり、この結果、様々な種類の光ディスクに対応することができず、ユーザにとって使い勝手が悪いという問題がある。
【０００７】
本発明は以上の点を考慮してなされたもので、ユーザの使い勝手を向上させ得る記録再生装置及びその制御方法、プログラム並びに情報共有システムを提案しようとするものである。
【課題を解決するための手段】
【０００８】
かかる課題を解決するために本発明においては、複数種類の光ディスクに所定のデータを記録し、又は光ディスクに記録されたデータを再生する光ディスクドライブと、データを記録又は再生するハードディスクドライブとを有する記録再生装置において、光ディスクにデータを最適化して記録するためのパラメータを選定する選定手段と、光ディスクから読み出された当該光ディスクの識別コードと、選定手段により選定されたパラメータとを対応づけてハードディスクドライブに記録すると共に、光ディスクの識別コードが読み出されたときに、当該識別コードに応じたパラメータをハードディスクドライブから読み出し、パラメータに基づいて、光ディスクにデータを記録するように制御する制御手段とを設けるようにした。
【０００９】
従って、光ディスクドライブ内のメモリに記録させる場合に比して膨大な数のパラメータを記録することができるため、様々な種類の光ディスクに対応させて当該光ディスクに記録データを記録することができると共に、パラメータをその都度選定せずに、ハードディスクドライブから読み出すだけで光ディスクに記録データを記録することができるため、当該パラメータの選定時間を格段的に低減することができる。
【００１０】
また、複数種類の光ディスクに所定のデータを記録し、又は光ディスクに記録されたデータを再生する光ディスクドライブと、データを記録又は再生するハードディスクドライブとを有する記録再生装置の制御方法において、光ディスクにデータを最適化して記録するためのパラメータを選定する第１のステップと、光ディスクから読み出された当該光ディスクの識別コードと、第１のステップにおいて選定したパラメータとを対応づけてハードディスクドライブに記録する第２のステップと、光ディスクの識別コードが読み出されたときに、当該識別コードに応じたパラメータをハードディスクドライブから読み出し、パラメータに基づいて、光ディスクにデータを記録する第３のステップとを設けるようにした。
【００１１】
従って、光ディスクドライブ内のメモリに記録させる場合に比して膨大な数のパラメータを記録することができるため、様々な種類の光ディスクに対応させて当該光ディスクに記録データを記録することができると共に、パラメータをその都度選定せずに、ハードディスクドライブから読み出すだけで光ディスクに記録データを記録することができるため、当該パラメータの選定時間を格段的に低減することができる。
【００１２】
さらに、複数種類の光ディスクに所定のデータを記録し、又は光ディスクに記録されたデータを再生する光ディスクドライブと、データを記録又は再生するハードディスクドライブとを有する記録再生装置に対して、プログラムによって、光ディスクにデータを最適化して記録するためのパラメータを選定する第１の処理と、光ディスクから読み出された当該光ディスクの識別コードと、第１のステップにおいて選定したパラメータとを対応づけてハードディスクドライブに記録する第２の処理と、光ディスクの識別コードが読み出されたときに、当該識別コードに応じたパラメータを上記ハードディスクドライブから読み出し、パラメータに基づいて、上記光ディスクに上記データを記録する第３の処理とを実行させるようにした。
【００１３】
従って、光ディスクドライブ内のメモリに記録させる場合に比して膨大な数のパラメータを記録することができるため、様々な種類の光ディスクに対応させて当該光ディスクに記録データを記録することができると共に、パラメータをその都度選定せずに、ハードディスクドライブから読み出すだけで光ディスクに記録データを記録することができるため、当該パラメータの選定時間を格段的に低減することができる。
【００１４】
さらに、複数種類の光ディスクに所定のデータを記録し、又は光ディスクに記録されたデータを再生する光ディスクドライブと、データを記録又は再生するハードディスクドライブとを有する記録再生装置と、所定のネットワークを介して記録再生装置と接続される情報処理装置とからなる情報共有システムにおいて、記録再生装置は、光ディスクにデータを最適化して記録するためのパラメータを選定する選定手段と、光ディスクから読み出された当該光ディスクの識別コードと、選定手段により選定されたパラメータとを対応づけてハードディスクドライブに記録すると共に、光ディスクの識別コードが読み出されたときに、当該識別コードに応じたパラメータをハードディスクドライブから読み出し、パラメータに基づいて、光ディスクにデータを記録するように制御する制御手段と、情報処理装置に記録されていない識別コードに応じたパラメータをネットワークを介して情報処理装置に送信する送信手段とを設け、情報処理装置は、記録再生装置からネットワークを介して送信されたパラメータを保持するための保持手段と、記録再生装置に記録されていない識別コードに応じたパラメータをネットワークを介して記録再生装置に送信する送信手段とを設けるようにした。
【００１５】
従って、記録再生装置と情報処理装置との間で、パラメータを、情報処理装置から記録再生装置に送信すると共に、記録再生装置からも情報処理装置に送信することができるため、ユーザが実際に使用している光ディスク及びその品質を把握することができる。
【００１６】
さらに、複数種類の光ディスクに所定のデータを記録し、又は光ディスクに記録されたデータを再生する光ディスクドライブと、データを記録又は再生するハードディスクドライブとを有する記録再生装置において、光ディスクの種類ごとの使用頻度を統計して、ハードディスクドライブに記録すると共に、光ディスクの種類を判別するときに、使用頻度の高い光ディスクから判別を開始するように制御する制御手段を設けるようにした。
【００１７】
従って、所定の枚数単位である同一ロットの光ディスクが連続的に光ディスクドライブに装填されるようなときに、この光ディスクの判別時間を格段的に低減することができる。
【発明の効果】
【００１８】
本発明によれば、光ディスクにデータを最適化して記録するためのパラメータを選定し、光ディスクから読み出された当該光ディスクの識別コードと、選定手段により選定されたパラメータとを対応づけてハードディスクドライブに記録して、光ディスクの識別コードが読み出されたときに、当該識別コードに応じたパラメータをハードディスクドライブから読み出し、パラメータに基づいて、光ディスクにデータを記録するようにしたことにより、光ディスクドライブ内のメモリに記録させる場合に比して膨大な数のパラメータを記録することができるため、様々な種類の光ディスクに対応させて当該光ディスクに記録データを記録することができると共に、パラメータをその都度選定せずに、ハードディスクドライブから読み出すだけで光ディスクに記録データを記録することができるため、当該パラメータの選定時間を格段的に低減することができ、かくしてユーザの使い勝手を向上させ得る記録再生装置及びその制御方法並びにプログラムを実現できる。
【００１９】
また、記録再生装置と、所定のネットワークを介して記録再生装置と接続される情報処理装置とからなる情報共有システムにおいて、記録再生装置は、光ディスクにデータを最適化して記録するためのパラメータを選定する選定手段と、光ディスクから読み出された当該光ディスクの識別コードと、選定手段により選定されたパラメータとを対応づけてハードディスクドライブに記録すると共に、光ディスクの識別コードが読み出されたときに、当該識別コードに応じたパラメータをハードディスクドライブから読み出し、パラメータに基づいて、光ディスクにデータを記録するように制御する制御手段と、情報処理装置に記録されていない識別コードに応じたパラメータをネットワークを介して情報処理装置に送信する送信手段とを設け、情報処理装置は、記録再生装置からネットワークを介して送信されたパラメータを保持するための保持手段と、記録再生装置に記録されていない識別コードに応じたパラメータをネットワークを介して記録再生装置に送信する送信手段とを設けるようにしたことにより、記録再生装置と情報処理装置との間で、パラメータを、情報処理装置から記録再生装置に送信すると共に、記録再生装置からも情報処理装置に送信することができるため、ユーザが実際に使用している光ディスク及びその品質を把握することができ、かくしてユーザの使い勝手を向上させ得る情報共有システムを実現できる。
【００２０】
さらに、複数種類の光ディスクに所定のデータを記録し、又は光ディスクに記録されたデータを再生する光ディスクドライブと、データを記録又は再生するハードディスクドライブとを有する記録再生装置において、光ディスクの種類ごとの使用頻度を統計して、ハードディスクドライブに記録すると共に、光ディスクの種類を判別するときに、使用頻度の高い光ディスクから判別を開始するように制御する制御手段を設けるようにしたことにより、所定の枚数単位である同一ロットの光ディスクが連続的に光ディスクドライブに装填されるようなときに、この光ディスクの判別時間を格段的に低減することができ、かくしてユーザの使い勝手を向上させ得る記録再生装置を実現できる。
【発明を実施するための最良の形態】
【００２１】
以下図面について、本発明の一実施の形態を詳述する。
【００２２】
（１）本実施の形態による記録再生装置の構成
図１において、１は全体として本実施の形態による記録再生装置を示し、外部から供給される映像データＤ１を光ディスクドライブ２に装填された光ディスク３又はハードディスクドライブ４に記録する一方、当該光ディスクドライブ２又はハードディスクドライブ４を再生して映像データＤ１を出力し得るようになされている。
【００２３】
実際上、この記録再生装置１には、光ディスクドライブ記録ボタン、ハードディスクドライブ記録ボタン、光ディスクドライブ再生ボタン、ハードディスクドライブ再生ボタン、転送記録ボタンや停止ボタン等を有する操作部５が設けられており、当該操作部５を介してこれら各種操作ボタンの操作に応じた操作データＤ２を制御部６へ送出する。
【００２４】
制御部６は、記録再生装置１全体の制御を司るＣＰＵ（Central Processing Unit）（図示せず）と、ＣＰＵのワークメモリとしてのＲＡＭ（Random Access Memory）（図示せず）と、各種制御プログラムが格納されたＲＯＭ（Read Only Memory）７とを含むマイクロコンピュータ構成となっており、例えば操作部５の光ディスク記録ボタンの操作に応じた操作データＤ２が供給されると、光ディスクドライブ記録モードに遷移する。
【００２５】
また制御部６は、エンコード／デコード部８によって、外部からＩ／Ｏ（Input/Output）インターフェース９を介して供給される映像データＤ１に対して、例えばＭＰＥＧ２（Moving Picture Experts Group Phase 2）等の所定の圧縮符号化規格に基づいて圧縮符号化処理を施し、この結果得られた符号化映像データＤ３をインターフェースコントローラ１０へ送出させる。
【００２６】
さらに制御部６は、インターフェースコントローラ１０によって、供給される符号化映像データＤ３を光ディスクドライブ２に送出させる。これにより記録再生装置１では、光ディスクドライブ２に装填された光ディスク３に符号化映像データＤ３を記録させ得るようになされている。
【００２７】
一方、制御部６は、例えば操作部５のハードディスクドライブ記録ボタンの操作に応じた操作データＤ２が供給されると、ハードディスクドライブ記録モードに遷移して、エンコード／デコード部８によって、外部からＩ／Ｏインターフェース９を介して供給される映像データＤ１に対して、上述の光ディスク記録ボタン操作時と同様の圧縮符号化処理を施し、この結果得られた符号化映像データＤ３をインターフェースコントローラ１０を介してハードディスクドライブ４へ送出させる。これにより記録再生装置１では、ハードディスクドライブ４に符号化映像データＤ３を記録させ得るようになされている。
【００２８】
他方、制御部６は、例えば操作部５の光ディスクドライブ再生ボタンの操作に応じた操作データＤ２が供給されると、光ディスクドライブ再生モードに遷移して、光ディスクドライブ２に装填されている光ディスク３から読み出された符号化映像データＤ３をインターフェースコントローラ１０を介してエンコード／デコード部８に送出させる。
【００２９】
さらに制御部６は、エンコード／デコード部８によって、供給される符号化映像データＤ３に対して、例えば上述の圧縮符号化処理に対応した復号化処理を施し、この結果得られた映像データＤ１をＩ／Ｏインターフェース９を介して外部に出力させる。
【００３０】
他方、制御部６は、例えば操作部５のハードディスクドライブ再生ボタンの操作に応じた操作データＤ２が供給されると、ハードディスクドライブ再生モードに遷移して、エンコード／デコード部８によって、ハードディスクドライブ４からインターフェースコントローラ１０を介して供給される符号化映像データＤ３に対して、上述の光ディスクドライブ再生ボタン操作時と同様の復号化処理を施し、この結果得られた映像データＤ１をＩ／Ｏインターフェース９を介して外部に出力させる。
【００３１】
このようにして記録再生装置１では、映像データＤ１を出力することにより、例えば当該映像データＤ１に基づく映像を外部の表示部に表示させ得るようになされている。
【００３２】
他方、制御部６は、例えば操作部５の転送記録ボタンの操作に応じた操作データＤ２が供給されると、転送記録モードに遷移して、ハードディスクドライブ４に記録された符号化映像データＤ３をインターフェースコントローラ１０を介して光ディスクドライブ２に送出させる。
【００３３】
これにより記録再生装置１では、ハードディスクドライブ４に記録されている符号化映像データＤ３を光ディスクドライブ２に転送して、当該光ディスクドライブ２に装填された光ディスク３に符号化映像データＤ３を記録し得るようになされている。
【００３４】
（２）本実施の形態による光ディスクドライブ２の構成
ここで図２は、上述の光ディスクドライブ２の構成を示すものであり、インターフェースコントローラ１０（図１）から供給される符号化映像データＤ３を光ディスク３に記録し、又は当該光ディスク３から再生して符号化映像データＤ３をインターフェースコントローラ１０（図１）に送出し得るようになされている。
【００３５】
この場合、光ディスクドライブ制御部２０は、この光ディスクドライブ２全体の制御を司るＣＰＵ（図示せず）と、ＣＰＵのワークメモリとしてのＲＡＭ（図示せず）と、各種制御プログラムが格納された不揮発性メモリ２１とを含むマイクロコンピュータ構成となっている。
【００３６】
実際上、光ディスクドライブ制御部２０は、光ディスクドライブ２に光ディスク３が装填されると、レーザ回路２２によって、適当なレーザパワーを発生させる初期レーザデータを生成し、当該初期レーザデータに応じて光ピックアップ２３内のレーザダイオードを点灯させることにより、光ピックアップ２３から光ディスク３に向けて光ビームを継続照射させる。
【００３７】
このとき光ピックアップ２３からは、かかる初期レーザデータに基づく光ビームが光ディスク３で反射されてなる反射光ビームに基づいて受光素子から出力されたＲＦ（Radio Frequency）信号がＲＦ処理部２４に与えられる。
【００３８】
そして光ディスクドライブ制御部２０は、ＲＦ処理部２４によって、供給されるＲＦ信号に基づいてこの光ディスク３の種類を判別することができるようになされている。
【００３９】
また光ディスクドライブ制御部２０は、光ディスクドライブ記録モード時、インターフェースコントローラ１０（図１）からＩ／Ｏインターフェース２５を介して信号処理部２６に符号化映像データＤ３が与えられると、サーボ回路２７を介してスピンドルモータ２８を駆動制御することにより、当該光ディスクドライブ２に装填された光ディスク３を所定状態に回転駆動させる。
【００４０】
さらに光ディスクドライブ制御部２０は、信号処理部２６によって、供給される符号化映像データＤ３に対して、変調処理等の所定の信号処理を施し、この結果得られた記録データをレーザデータとしてレーザ回路２２に送出する。
【００４１】
そして光ディスクドライブ制御部２０は、レーザ回路２２によって、レーザデータに応じて光ピックアップ２３内のレーザダイオードを、光ディスク３に最適化して記録するための記録レーザパワー及びライトストラテジで点滅駆動させる。これにより、光ピックアップ２３から光ディスク３に向けて光ビームが点滅照射され、光ディスク３に記録データが最適化されて記録されるようになされている。
【００４２】
さらに光ディスクドライブ制御部２０は、光ピックアップ２３からレーザデータに基づくフォーカスエラー信号及びトラッキングエラー信号がサーボ回路２７に与えられると、当該サーボ回路２７によって、供給されるフォーカスエラー信号及びトラッキングエラー信号に基づいて、光ピックアップ２３から発射された光ビームが光ディスク３の情報記録面上においてジャストフォーカス及びジャストトラッキングするように、光ピックアップ２３を光ディスク３の径方向に移動させるための送りモータ２９や、光ピックアップ２３内の対物レンズ（図示せず）を駆動する２軸アクチュエータ（図示せず）を必要に応じて駆動させるようになされている。
【００４３】
一方、光ディスクドライブ制御部２０は、光ディスクドライブ再生モード時、サーボ回路２７を介してスピンドルモータ２８を駆動制御することにより、光ディスクドライブ２に装填された光ディスク３を所定状態に回転駆動させる。
【００４４】
また光ディスクドライブ制御部２０は、レーザ回路２２によって、再生レーザパワーを発生させる再生レーザデータを生成し、当該再生レーザデータに応じて光ピックアップ２３内のレーザダイオードを一定のレーザパワーで点灯させることにより、光ピックアップ２３から光ディスク３に向けて光ビームを継続照射させる。
【００４５】
このとき光ピックアップ２３からは、かかる再生レーザデータに基づく光ビームが光ディスク３で反射されてなる反射光ビームに基づいて受光素子から出力されたフォーカスエラー信号及びトラッキングエラー信号がサーボ回路２７に与えられると、当該サーボ回路２７によって、フォーカスエラー信号及びトラッキングエラー信号に基づき上述の光ディスクドライブ記録モード時と同様にフォーカス制御及びトラッキング制御を行なわせるようになされている。
【００４６】
また光ディスクドライブ制御部２０は、光ピックアップ２３から再生レーザデータに基づくＲＦ信号がＲＦ処理部２４に与えられると、当該ＲＦ処理部２４によって、供給されるＲＦ信号に基づいて再生データを生成し、当該再生データを信号処理部２６に送出させて、この後信号処理部２６によって、供給される再生データに対して復調処理及び誤り訂正処理等の所定の信号処理を施し、この結果得られた符号化映像データＤ３をＩ／Ｏインターフェース２５を介してインターフェースコントローラ１０（図１）に送出させるようになされている。
【００４７】
（３）記録再生装置１に搭載された各種機能
次に、この記録再生装置１に搭載された各種機能について説明する。
【００４８】
（３−１）種類別使用頻度の統計による光ディスク判別時間短縮機能
この記録再生装置１には、光ディスクドライブ２に装填された光ディスク３における種類別の使用頻度を統計することにより、この光ディスク３における種類の判別時間を短縮する光ディスク判別時間短縮機能が搭載されている。
【００４９】
実際上、光ディスクドライブ制御部２０は、光ディスク３が光ディスクドライブ２に装填されると、初期レーザデータに基づくＲＦ信号をＲＦ処理部２４を介して当該光ディスクドライブ制御部２０に送出させ、例えば対物レンズ（図示せず）を光ディスク３から遠ざける方向に移動させたときの反射光ビームの信号波形に基づいて、この光ディスク３がＤＶＤであるか、ＣＤであるかを判別させる。
【００５０】
また光ディスクドライブ制御部２０は、光ディスク３がＤＶＤである場合には、例えば対物レンズ（図示せず）を光ディスク３に近づける方向に移動させたときの反射光ビームの信号波形に基づいて、このＤＶＤの記録面が１層のＤＶＤ（ＤＶＤ  ＳＬ（Single Layer））であるか、２層のＤＶＤ（ＤＶＤ  ＤＬ（Dual Layer））であるかを判別させる。
【００５１】
さらに光ディスクドライブ制御部２０は、例えば光ビームに対する光ディスク３の反射率に基づいて、このＤＶＤがＤＶＤ−ＲＯＭ又はＤＶＤ±Ｒであるか、ＤＶＤ±ＲＷであるかを判別させる。
【００５２】
さらに光ディスクドライブ制御部２０は、例えばＬＰＰ（Land Pre Pit）及び又はＡＤＩＰ（Address In Pre-groove）が存在するか否かによって、このＤＶＤがＤＶＤ−ＲＯＭであるか、ＤＶＤ−Ｒ又はＤＶＤ−ＲＷであるか、ＤＶＤ＋Ｒ又はＤＶＤ＋ＲＷであるかを判別させる。
【００５３】
さらに光ディスクドライブ制御部２０は、光ディスク３がＣＤである場合には、例えば光ビームに対する光ディスク３の反射率に基づいて、このＣＤがＣＤ−ＲＯＭ又はＣＤ−Ｒであるか、ＣＤ−ＲＷであるかを判別させる。また光ディスクドライブ制御部２０は、例えばＡＴＩＰ（Absolute Time In Pre-groove）が存在するか否かによって、このＣＤがＣＤ−ＲＯＭであるか、ＣＤ−Ｒ又はＣＤ−ＲＷであるかを判別させる。
【００５４】
このように記録再生装置１では、光ディスクドライブ２に装填される光ディスク３の種類を判別し得るようになされている。
【００５５】
そして光ディスクドライブ制御部２０（図２）は、このとき光ディスクドライブ２に装填された光ディスク３における種類を判別すると、光ディスク種類判別データＤ４を生成し、当該光ディスク種類判別データＤ４を信号処理部２６、Ｉ／Ｏインターフェース２５及びインターフェースコントローラ１０（図１）を介して制御部６（図１）に送出させる。
【００５６】
このときハードディスクドライブ４には、光ディスク３における種類別の使用頻度を統計するための種類別使用頻度格納テーブルＴ１が記録されている。なお、この種類別使用頻度格納テーブルＴ１は、図３に示すように、光ディスク３の種類を格納する光ディスク種類格納欄Ｔ１Ａと、当該光ディスク３の種類の使用頻度を統計する使用頻度格納欄Ｔ１Ｂとから構成されている。
【００５７】
そして制御部６は、供給される光ディスク種類判別データＤ４の種類に応じて、種類別使用頻度格納テーブルＴ１の使用頻度格納欄Ｔ１Ｂに格納された使用頻度を「１」増加させるようにして、ハードディスクドライブ４に記録するようになされている。例えば制御部６は、「ＤＶＤ−ＲＯＭ  ＳＬ」を表す光ディスク種類判別データＤ４が供給されると、種類別使用頻度格納テーブルＴ１における「ＤＶＤ−ＲＯＭ  ＳＬ」の光ディスク種類格納欄Ｔ１Ａに対応する使用頻度格納欄Ｔ１Ｂに格納された使用頻度「１０」を「１１」に増加させるようにして、ハードディスクドライブ４に記録するようになされている。
【００５８】
このように記録再生装置１では、光ディスク３が光ディスクドライブ２に装填されると、当該光ディスク３の種類を判別して光ディスク種類判別データＤ４を生成し、当該光ディスク種類判別データＤ４を制御部６に送出することにより、光ディスク３が光ディスクドライブ２に装填されるたびに、供給される光ディスク種類判別データＤ４に基づいて、光ディスク３の使用頻度を統計し得るようになされている。
【００５９】
一方、光ディスクドライブ制御部２０（図２）は、光ディスク３が光ディスクドライブ２に装填されると、その旨を信号処理部２６、Ｉ／Ｏインターフェース２５及びインターフェースコントローラ１０（図１）を介して制御部６（図１）に通知する。
【００６０】
このとき制御部６は、図３のように種類別使用頻度格納テーブルＴ１の光ディスク種類格納欄Ｔ１Ａのうち、使用頻度格納欄Ｔ１Ｂに格納された使用頻度が最も高い光ディスク３の種類を選択し、この選択された光ディスク３を光ディスク種類選択データＤ５として生成し、当該光ディスク種類選択データＤ５をインターフェースコントローラ１０、Ｉ／Ｏインターフェース２５及び信号処理部２６を介して光ディスクドライブ制御部２０に送出させる。
【００６１】
そして光ディスクドライブ制御部２０（図２）は、供給される光ディスク種類選択データＤ５に応じて、使用頻度の最も高い光ディスク３の種類から判別を開始させるようになされている。
【００６２】
例えば制御部６は、図３のように種類別使用頻度格納テーブルＴ１の光ディスク種類格納欄Ｔ１Ａのうち、「ＤＶＤ−ＲＯＭ  ＳＬ」の使用頻度が最も高い場合には、「ＤＶＤ−ＲＯＭ  ＳＬ」を表す光ディスク種類選択データＤ５を生成し、光ディスクドライブ制御部２０は、「ＤＶＤ−ＲＯＭ  ＳＬ」から光ディスク３の判別を開始させるようになされている。
【００６３】
このように記録再生装置１では、光ディスク３が光ディスクドライブ２に装填されると、光ディスク判別処理に先立って、種類別使用頻度格納テーブルＴ１における使用頻度の統計結果に基づいて、使用頻度の高い光ディスク３から判別を開始させることにより、例えば所定の枚数単位である同一ロットの光ディスク３が連続的に光ディスクドライブ２に装填されるようなときに、この光ディスク３の判別時間を格段的に低減することができるようになされている。
【００６４】
（３−２）最適化記録機能
また、この記録再生装置１には、光ディスク３の種類や製造メーカや商品、製造ロット等によって異なる当該光ディスク３に最適化して記録するための記録レーザパワーやライトストラテジを選定し、これらを記録制御パラメータとしてハードディスクドライブ４に記録しておき、当該記録制御パラメータをハードディスクドライブ４から読み出すことにより、当該記録制御パラメータに基づいて光ディスク３に記録データを記録する最適化記録機能が搭載されている。
【００６５】
実際上、光ディスクドライブ制御部２０は、光ディスクドライブ記録モード時、レーザ回路２２によって、記録データの記録処理に先立って、記録制御パラメータを選定するための最適化記録選定レーザデータに応じて光ピックアップ２３内のレーザダイオードを記録レーザパワー、レーザ出力タイミング及びレーザ出力パターンを変動させながら点滅駆動させることにより、光ピックアップ２３から光ディスク３に向けて光ビームを点滅照射させ、光ディスク３のテスト領域に記録（試し書き）させる。
【００６６】
また光ディスクドライブ制御部２０は、ＲＦ処理部２４を介して供給される最適化記録選定レーザデータに基づくＲＦ信号から、例えば記録レーザパワーの変動による光ディスク３の記録状態を所定の評価基準に基づいて評価させることにより、装填されている光ディスク３に最適化して記録するための記録レーザパワーを選定する。
【００６７】
さらに光ディスクドライブ制御部２０は、ＲＦ処理部２４を介して供給される最適化記録選定レーザデータに基づくＲＦ信号から、例えばレーザ出力タイミング及びレーザ出力パターンの変動による光ディスク３の記録状態を所定の評価基準に基づいて評価させることにより、装填されている光ディスク３に最適化して記録するためのライトストラテジを選定する。
【００６８】
そして光ディスクドライブ制御部２０は、当該記録レーザパワー及びライトストラテジを記録制御パラメータＰ１とし、レーザ回路２２によって、当該記録制御パラメータＰ１に基づいて記録データを光ディスク３に記録させることができるようになされている。
【００６９】
かかる構成に加えてこの光ディスクドライブ制御部２０は、光ディスク３から読み出した光ディスク３の種類や製造メーカや商品、製造ロット等の当該光ディスク３の個別情報を表す光ディスク識別コードＫ１と記録制御パラメータＰ１とを、信号処理部２６、Ｉ／Ｏインターフェース２５及びインターフェースコントローラ１０（図１）を介して制御部６（図１）に送出させる。
【００７０】
このときハードディスクドライブ４には、光ディスク識別コードＫ１と記録制御パラメータＰ１とを対応づけて格納するための光ディスク識別コード格納リストＬ１が格納されている。なお、この光ディスク識別コード格納リストＬ１は、図４に示すように、光ディスク識別コード格納欄Ｌ１Ａと、後述する光ディスク識別コードＫ１と対応づけられている記録制御パラメータＰ１の使用頻度を統計して格納する使用頻度格納欄Ｌ１Ｂと、後述する粗悪な光ディスクを識別する粗悪光ディスク識別フラグ格納欄Ｌ１Ｃ、光ディスク識別コードＫ１と対応づけられている記録制御パラメータＰ１を格納する記録制御パラメータ格納欄Ｌ１Ｄとから構成されている。
【００７１】
そして制御部６は、供給される光ディスク識別コードＫ１を光ディスク識別コード格納欄Ｌ１Ａに格納するように、また記録制御パラメータＰ１を対応する記録制御パラメータ格納欄Ｌ１Ｄに格納するようにして、ハードディスクドライブ４に記録するようになされている。
【００７２】
このように記録再生装置１では、光ディスク３の個別情報を表す光ディスク識別コードＫ１と記録制御パラメータＰ１とを対応づけて、光ディスク識別コード格納リストＬ１に格納するようにして、ハードディスクドライブ４に記録することにより、光ディスクドライブ制御部２０内の不揮発性メモリ２１に光ディスク識別コードＫ１と記録制御パラメータＰ１とを対応づけて記録させる場合に比して、膨大な数の記録制御パラメータＰ１を記録することができるようになされている。
【００７３】
一方、光ディスクドライブ制御部２０（図２）は、光ディスクドライブ記録モード時、光ディスク３から光ディスク識別コードＫ１が読み出されると、当該光ディスク識別コードＫ１を信号処理部２６、Ｉ／Ｏインターフェース２５及びインターフェースコントローラ１０（図１）を介して制御部６（図１）に送出させる。
【００７４】
そして制御部６は、供給される光ディスク識別コードＫ１と一致する光ディスク識別コードＫ１を光ディスク識別コード格納リストＬ１の光ディスク識別コード格納欄Ｌ１Ａにおいて検索し、当該光ディスク識別コードＫ１と一致する光ディスク識別コードＫ１が光ディスク識別コード格納欄Ｌ１Ａにある場合には、この光ディスク識別コードＫ１に応じた記録制御パラメータＰ１をハードディスクドライブ４から読み出して、インターフェースコントローラ１０、Ｉ／Ｏインターフェース２５及び信号処理部２６を介して光ディスクドライブ制御部２０に送出させる。
【００７５】
そして光ディスクドライブ制御部２０（図２）は、レーザ回路２２によって、ハードディスクドライブ４から供給された記録制御パラメータＰ１に基づいて記録データを光ディスク３に記録させることができるようになされている。
【００７６】
このように記録再生装置１では、光ディスク３から読み出された光ディスク識別コードＫ１と一致する光ディスク識別コードＫ１が光ディスク識別コード格納欄Ｌ１Ａにある場合には、当該光ディスク識別コードＫ１に応じた記録制御パラメータＰ１に基づいて記録データを光ディスク３に記録させることにより、この記録制御パラメータＰ１の選定時間を低減することができるようになされている。
【００７７】
また制御部６は、供給される光ディスク識別コードＫ１と一致する光ディスク識別コードＫ１が光ディスク識別コード格納欄Ｌ１Ａにある場合には、供給される光ディスク識別コードＫ１に応じて、光ディスク識別コード格納リストＬ１の使用頻度格納欄Ｌ１Ｂに格納された使用頻度を「１」増加させるようにして、ハードディスクドライブ４に記録するようになされている。例えば制御部６は、「ＤＶＤ−ＲＯＭ  ＳＬ：ＱＦＰＤ−０１１−０５０」を表す光ディスク識別コードＫ１が供給されると、当該光ディスク識別コード格納欄Ｌ１Ａに対応する使用頻度格納欄Ｌ１Ｂに格納された使用頻度「１０」を「１１」に増加させるようにして、ハードディスクドライブ４に記録するようになされている。
【００７８】
そして制御部６は、使用頻度の高い順に所定数の光ディスク識別コードＫ１及び当該光ディスク識別コードＫ１に応じた記録制御パラメータＰ１を、インターフェースコントローラ１０、Ｉ／Ｏインターフェース２５及び信号処理部２６を介して、光ディスクドライブ制御部２０内の不揮発性メモリ２１に記憶されている光ディスク識別コード格納欄Ｌ２Ａと記録制御パラメータ格納欄Ｌ２Ｄとでなるメモリ光ディスク識別コード格納リストＬ２に格納させるようにして、不揮発性メモリ２１に記憶する。
【００７９】
そして光ディスクドライブ制御部２０は、光ディスク３から光ディスク識別コードＫ１が読み出されると、当該光ディスク識別コードＫ１を制御部６（図１）に送出する前に、当該光ディスク識別コードＫ１と一致する光ディスク識別コードＫ１をメモリ光ディスク識別コード格納リストＬ２の光ディスク識別コード格納欄Ｌ２Ａにおいて検索し、光ディスク３から読み出された光ディスク識別コードＫ１と一致する光ディスク識別コードＫ１が光ディスク識別コード格納欄Ｌ２Ａにある場合には、当該光ディスク識別コードＫ１に応じた記録制御パラメータＰ１を、当該光ディスクドライブ制御部２０の不揮発性メモリ２１から読み出して、この記録制御パラメータＰ１に基づいて記録データを光ディスク３に記録させる。
【００８０】
このように記録再生装置１では、使用頻度の高い順に所定数の光ディスク識別コードＫ１及び当該光ディスク識別コードＫ１に応じた記録制御パラメータＰ１をメモリ光ディスク識別コード格納リストＬ２に格納させるようにして、光ディスクドライブ制御部２０の不揮発性メモリ２１に記憶し、光ディスク３から光ディスク識別コードＫ１が読み出されたときに、当該光ディスク識別コードＫ１と一致する光ディスク識別コードＫ１を、光ディスク識別コード格納リストＬ１よりも先に、メモリ光ディスク識別コード格納リストＬ２の光ディスク識別コード格納欄Ｌ２Ａにおいて検索し、一致する光ディスク識別コードＫ１が光ディスク識別コード格納欄Ｌ２Ａにある場合には、当該光ディスク識別コードＫ１に応じた記録制御パラメータＰ１を、当該光ディスクドライブ制御部２０の不揮発性メモリ２１から読み出すことにより、光ディスク識別コードＫ１に応じた記録制御パラメータＰ１をハードディスクドライブ４から読み出す場合に比して、光ディスク３の選定時間を一段と低減することができるようになされている。
【００８１】
他方、光ディスクドライブ制御部２０（図２）は、レーザ回路２２によって、最適化記録選定レーザデータに応じて光ピックアップ２３内のレーザダイオードを所定のレーザパワーで点灯させることにより、光ピックアップ２３から光ディスク３の内周部及び外周部に光ビームを継続照射させ、それぞれジャストフォーカスしたときのウォブル等の信号振幅から装填されている光ディスク３の機械的な反り値を選定する。
【００８２】
そして光ディスクドライブ制御部２０は、この光ディスク３の機械的な反り値を、光ディスク３に最適化して記録するための記録レーザパワー及びライトストラテジと共に、記録制御パラメータＰ１とするようになされている。
【００８３】
このように記録再生装置１では、この光ディスク３の機械的な反り値も含めて記録制御パラメータＰ１としたことにより、例えば所定の枚数単位である同一ロットの光ディスク３を連続的に光ディスクドライブ２に装填されるようなときに、この機械的な反り値の選定時間を低減することができ、光ディスクの選定時間を一段と低減することができるようになされている。
【００８４】
（３−３）粗悪光ディスク通知機能
さらに、この記録再生装置１には、光ディスク３に最適化して記録するための記録レーザパワー及びライトストラテジを選定することができないときや、光ディスク３の機械的な反り値が規格値以上であるときに、この光ディスク３が粗悪な光ディスクであるため、この光ディスク３に記録データを最適化して記録することができない旨をユーザに通知する粗悪光ディスク通知機能が搭載されている。
【００８５】
この場合、光ディスクドライブ制御部２０（図２）は、装填されている光ディスク３に最適化して記録するための記録レーザパワー若しくはライトストラテジを選定することができないとき、又は装填されている光ディスク３の機械的な反り値が所定の規格値以上であるときには、この光ディスク３が粗悪な光ディスクであると識別して、当該粗悪な光ディスクの光ディスク識別コードＫ１を信号処理部２６、Ｉ／Ｏインターフェース２５及びインターフェースコントローラ１０（図１）を介して制御部６（図１）に送出させる。
【００８６】
このとき制御部６は、供給される粗悪な光ディスクの光ディスク識別コードＫ１を光ディスク識別コード格納欄Ｌ１Ａに格納するように、また粗悪光ディスク識別フラグ格納欄Ｌ１Ｃにフラグを格納するようにして、ハードディスクドライブ４に記録するようになされている。
【００８７】
また制御部６は、粗悪な光ディスクの光ディスク識別コードＫ１が供給されると、インターフェースコントローラ１０を介して通知部１１を制御することによって、当該通知部１１の音声出力部から音声を出力させたり、当該通知部１１の表示部に表示させるようになされている。
【００８８】
このように記録再生装置１では、光ディスク３が粗悪な光ディスクであるときに、通知部１１の音声出力部から音声を出力させたり、通知部１１の表示部に表示させることにより、装填されている光ディスク３が粗悪な光ディスクであることをユーザに容易に認識させ得るようになされている。
【００８９】
一方、光ディスクドライブ制御部２０は、光ディスクドライブ記録モード時、光ディスク３から光ディスク識別コードＫ１が読み出されると、当該光ディスク識別コードＫ１を信号処理部２６、Ｉ／Ｏインターフェース２５及びインターフェースコントローラ１０（図１）を介して制御部６（図１）に送出させる。
【００９０】
そして制御部６は、供給される光ディスク識別コードＫ１と一致する光ディスク識別コードＫ１を光ディスク識別コード格納リストＬ１の光ディスク識別コード格納欄Ｌ１Ａにおいて検索し、当該光ディスク識別コードＫ１と一致する光ディスク識別コードＫ１が光ディスク識別コード格納欄Ｌ１Ａにあると共に、当該一致する光ディスク識別コードＫ１の光ディスク識別コード格納欄Ｌ１Ａに対応した粗悪光ディスク識別フラグ格納欄Ｌ１Ｃにおいてフラグがたてられている場合には、供給される光ディスク識別コードＫ１に対応する粗悪な光ディスクが再び装填されていると識別して、供給される光ディスク識別コードＫ１に応じた光ディスク識別コード格納リストＬ１の使用頻度格納欄Ｌ１Ｂに格納された使用頻度を「１」増加させるようにして、ハードディスクドライブ４に記録すると共に、インターフェースコントローラ１０を介して通知部１１を制御することによって、通知部１１の表示部に例えば粗悪な光ディスクの使用頻度の履歴を表示させるようになされている。
【００９１】
このように記録再生装置１では、光ディスク３から読み出された光ディスク識別コードＫ１と一致する光ディスク識別コードＫ１が光ディスク識別コード格納欄Ｌ１Ａにあると共に、当該一致する光ディスク識別コードＫ１の光ディスク識別コード格納欄Ｌ１Ａに対応した粗悪光ディスク識別フラグ格納欄Ｌ１Ｃにおいてフラグがたてられている場合には、供給される光ディスク識別コードＫ１に対応する粗悪な光ディスクが再び装填されていると識別して、通知部１１の表示部に例えば粗悪な光ディスクの使用頻度の履歴を表示させることにより、粗悪な光ディスクを何回も使用していることをユーザに一段と容易に認識させ得るようになされている。
【００９２】
（３−４）サーバ装置との情報共有機能
さらに、記録再生装置１には、光ディスクドライブ２において選定された記録制御パラメータＰ１を、例えばインターネット等の所定のネットワークＮＴを介してサーバ装置３０に送信すると共に、サーバ装置３０から送信される記録制御パラメータＰ１をハードディスクドライブ４に記録する情報共有機能が搭載されている。
【００９３】
図５において、４０は全体として本実施の形態による情報共有システムを示し、上述の記録再生装置１と同様の構成でなる複数の記録再生装置１とサーバ装置３０とがネットワークＮＴを介してそれぞれ接続されて構成されている。
【００９４】
この場合、記録再生装置１の制御部６は、図１に示すように、例えば操作部５の情報共有ボタンの操作に応じた操作データＤ２が供給されると、情報共有モードに遷移して、光ディスク識別コード格納リストＬ１をハードディスクドライブ４から読み出して、インターフェースコントローラ１０、通信インターフェース１２及びネットワークＮＴを介してサーバ装置３０に送信させる。
【００９５】
このサーバ装置３０においては、図６に示すように、サーバ制御部３１と、通信インターフェース３２と、光ディスク識別コード格納リスト記録用データベース３３とがそれぞれ接続されて構成されている。
【００９６】
この場合、サーバ制御部３１は、このサーバ装置３０全体の制御を司るＣＰＵ（図示せず）と、ＣＰＵのワークメモリとしてのＲＡＭ（図示せず）と、各種制御プログラムが格納されたＲＯＭ３４とを含むマイクロコンピュータ構成となっている。
【００９７】
実際上、サーバ制御部３１は、記録再生装置１から送信される光ディスク識別コード格納リストＬ１を通信インターフェース３２を介して光ディスク識別コード格納リスト記録用データベース３３に受信すると、記録再生装置１から送信された光ディスク識別コード格納リストＬ１と、当該光ディスク識別コード格納リスト記録用データベース３３に記録されている、光ディスク識別コード格納リストＬ１と同様の構成でなるサーバ光ディスク識別コード格納リストＬ３とを順次照合する。
【００９８】
そしてサーバ制御部３１は、光ディスク識別コード格納リストＬ１に格納されているが、サーバ光ディスク識別コード格納リストＬ３に格納されていない光ディスク識別コードＫ１及び対応する使用頻度、粗悪光ディスク識別フラグ及び記録制御パラメータＰ１を、サーバ光ディスク識別コード格納リストＬ３に格納させるようにして、光ディスク識別コード格納リスト記録用データベース３３に記録するようになされている。
【００９９】
またサーバ制御部３１は、光ディスク識別コード格納リストＬ１に格納されていないが、サーバ光ディスク識別コード格納リストＬ３に格納されている光ディスク識別コードＫ１及び対応する使用頻度、粗悪光ディスク識別フラグ及び記録制御パラメータＰ１を、サーバ光ディスク識別コード格納リストＬ３から読み出して、通信インターフェース３２及びネットワークＮＴを介して記録再生装置１に送信させる。
【０１００】
このとき記録再生装置１の制御部６は、サーバ装置３０から送信される光ディスク識別コードＫ１及び対応する使用頻度、粗悪光ディスク識別フラグ及び記録制御パラメータＰ１が通信インターフェース１２及びインターフェースコントローラ１０を介して当該制御部６に供給されると、光ディスク識別コード格納リストＬ１に格納するようにして、ハードディスクドライブ４に記録するようになされている。
【０１０１】
このように情報共有システム４０では、複数の記録再生装置１とサーバ装置３０との間で、光ディスク識別コードＫ１に対応した記録制御パラメータＰ１及び粗悪な光ディスクの光ディスク識別コードＫ１を、サーバ装置３０から各記録再生装置１に送信するだけでなく、各記録再生装置１からもサーバ装置３０に送信することができるため、ユーザが実際に使用している光ディスク３及びその品質を把握することができるようになされている。
【０１０２】
（４）制御部６の具体的処理内容
（４−１）光ディスク判別時間短縮処理手順
ここで、上述のような制御部６による光ディスク判別時間短縮処理は、予め制御部６のＲＯＭ７に格納されている制御プログラムに基づき、図７に示す光ディスク判別時間短縮処理手順ＲＴ１に従って行われる。
【０１０３】
すなわち制御部６は、光ディスク３が光ディスクドライブ２に装填されると、光ディスク判別時間短縮処理手順ＲＴ１をステップＳＰ０において開始し、続くステップＳＰ１において、光ディスクドライブ制御部２０によって、光ディスク種類選択データＤ５に基づいて、使用頻度の最も高い光ディスク３から判別を開始させる。
【０１０４】
続いて制御部６は、この後ステップＳＰ２に進んで、光ディスクドライブ制御部２０によって、この光ディスク３が最も使用頻度の高い光ディスクであるか否かを判断する。そして制御部６は、このステップＳＰ２において肯定結果を得ると、ステップＳＰ１０に進んで、この光ディスク判別時間短縮処理手順ＲＴ１を終了し、これに対して否定結果を得るとステップＳＰ３に進んで、光ディスクドライブ制御部２０によって、この光ディスク３がＤＶＤであるか、ＣＤであるかを判別させる。
【０１０５】
続いて制御部６は、この後ステップＳＰ４に進んで、光ディスクドライブ制御部２０によって、この光ディスク３がＤＶＤであるか否かを判断する。そして制御部６は、このステップＳＰ４において否定結果を得るとステップＳＰ８に進み、これに対して肯定結果を得るとステップＳＰ５に進んで、この光ディスク３が１層のＤＶＤであるか、２層のＤＶＤであるかを判別させる。
【０１０６】
続いて制御部６は、この後ステップＳＰ６に進んで、光ディスクドライブ制御部２０によって、この光ディスク３がＤＶＤ−ＲＯＭ又はＤＶＤ±Ｒであるか、ＤＶＤ±ＲＷであるかを判別させる。続いて制御部６は、この後ステップＳＰ７に進んで、光ディスクドライブ制御部２０によって、この光ディスク３がＤＶＤ−ＲＯＭであるか、ＤＶＤ−Ｒ又はＤＶＤ−ＲＷであるか、ＤＶＤ＋Ｒ又はＤＶＤ＋ＲＷであるかを判別させる。
【０１０７】
これに対して制御部６は、ステップＳＰ４において否定結果を得ると、ステップＳＰ８に進んで、光ディスクドライブ制御部２０によって、この光ディスク３がＣＤ−ＲＯＭ又はＣＤ−Ｒであるか、ＣＤ−ＲＷであるかを判別させる。続いて制御部６は、この後ステップＳＰ９に進んで、光ディスクドライブ制御部２０によって、この光ディスク３がＣＤ−ＲＯＭであるか、ＣＤ−Ｒ又はＣＤ−ＲＷであるかを判別させる。
【０１０８】
そして制御部６は、この後ステップＳＰ１０に進んで、この光ディスク判別時間短縮処理手順ＲＴ１を終了する。
【０１０９】
この結果、記録再生装置６では、この光ディスク３の種類を判別すると共に、使用頻度の最も高い光ディスク３のときに、光ディスク３における種類の判別時間を短縮することにできるようになされている。
【０１１０】
（４−２）光ディスク最適化記録処理手順
一方、上述のような制御部６による光ディスク最適化記録処理は、予め制御部６のＲＯＭ７に格納されている制御プログラムに基づき、図８及び図９に示す光ディスク最適化記録処理手順ＲＴ２に従って行われる。
【０１１１】
すなわち制御部６は、光ディスク記録モードに遷移されると、光ディスク最適化記録処理手順ＲＴ２をステップＳＰ２０において開始し、続くステップＳＰ２１において、光ディスクドライブ制御部２０によって、光ディスク３から光ディスク識別コードＫ１を読み出させる。
【０１１２】
続いて制御部６は、この後ステップＳＰ２２に進んで、光ディスクドライブ制御部２０によって、読み出された光ディスク３と一致する光ディスク識別コードＫ１が不揮発性メモリ２１に記憶されているか否かを判断する。そして制御部６は、このステップＳＰ２２において肯定結果を得るとステップＳＰ２６に進み、これに対して否定結果を得るとステップＳＰ２３に進んで、読み出された光ディスク３と一致する光ディスク識別コードＫ１がハードディスクドライブ４に格納されているか否かを判断する。
【０１１３】
そして制御部６は、このステップＳＰ２３において否定結果を得るとステップＳＰ２７に進み、これに対して肯定結果を得るとステップＳＰ２４に進んで、当該光ディスク識別コードＫ１に粗悪光ディスク識別フラグが立てられているか否かを判断する。そして制御部６は、このステップＳＰ２４において肯定結果を得ると、ステップＳＰ２５に進んで、この光ディスク３が粗悪な光ディスクであることをユーザに通知し、これに対して否定結果を得るとステップＳＰ２６に進んで、光ディスクドライブ制御部２０によって、当該光ディスク識別コードＫ１に応じた記録制御パラメータＰ１を読み出して、当該記録制御パラメータＰ１に基づいて記録データを記録させる。
【０１１４】
これに対して制御部６は、ステップＳＰ２３において否定結果を得ると、ステップＳＰ２７に進んで、光ディスクドライブ制御部２０によって、この光ディスク３の記録制御パラメータＰ１を選定させる。
【０１１５】
続いて制御部６は、この後ステップＳＰ２８に進んで、記録制御パラメータＰ１が選定されたか否かを判断する。そして制御部６は、このステップＳＰ２８において否定結果を得ると、ステップＳＰ２９に進んで、この光ディスク３が粗悪な光ディスクであることをユーザに通知し、これに対して肯定結果を得るとステップＳＰ３０に進んで、光ディスク識別コードＫ１と記録制御パラメータＰ１とを対応づけてハードディスクドライブ４に記録する。
【０１１６】
そして制御部６は、この後ステップＳＰ３１に進んで、この光ディスク最適化記録処理手順ＲＴ２を終了する。
【０１１７】
（５）動作及び効果
以上の構成において、この記録再生装置１では、光ディスク３に最適化して記録するための記録レーザパワーやライトストラテジを選定して、これらを記録制御パラメータＰ１とし、当該記録制御パラメータＰ１と光ディスク３から読み出された光ディスク識別コードＫ１とを対応づけてハードディスクドライブ４に記録しておき、当該記録制御パラメータＰ１に基づいて光ディスク３に記録データを最適化して記録する。
【０１１８】
従って、光ディスクドライブ２内の不揮発性メモリ２１に記録させる場合に比して膨大な数の記録制御パラメータＰ１を記録することができるため、様々な種類の光ディスク３に対応させて当該光ディスク３に記録データを記録することができると共に、記録制御パラメータＰ１をその都度選定せずに、ハードディスクドライブ４から読み出すだけで光ディスク３に記録データを記録することができるため、当該記録制御パラメータＰ１の選定時間を格段的に低減することができる。
【０１１９】
また、この記録再生装置１では、使用頻度の高い順に所定数の光ディスク識別コードＫ１に応じた記録制御パラメータＰ１を、ハードディスクドライブ４から光ディスクドライブ制御部２０に送出して、当該記録制御パラメータＰ１を光ディスクドライブ制御部２０の不揮発性メモリ２１記憶し、不揮発性メモリ２１に記憶されている記録制御パラメータＰ１に基づいて光ディスク３に記録データを記録することにより、記録制御パラメータＰ１をハードディスクドライブ４から読み出す場合に比して、光ディスク３の記録制御パラメータＰ１の選定時間を一段と低減することができる。
【０１２０】
さらに、この情報共有システム４０では、光ディスク識別コード格納リストＬ１に格納されているが、サーバ光ディスク識別コード格納リストＬ３に格納されていない光ディスク識別コードＫ１及び対応する使用頻度、粗悪光ディスク識別フラグ及び記録制御パラメータＰ１を、サーバ光ディスク識別コード格納リストＬ３に格納させるようにして、サーバ装置３０の光ディスク識別コード格納リスト記録用データベース３３に記録する一方、サーバ装置３０から送信される光ディスク識別コードＫ１及び対応する使用頻度、粗悪光ディスク識別フラグ及び記録制御パラメータＰ１を通信インターフェース１２及びインターフェースコントローラ１０を介して当該制御部６に供給されると、光ディスク識別コード格納リストＬ１に格納するようにして、記録再生装置１のハードディスクドライブ４に記録することにより、複数の記録再生装置１とサーバ装置３０との間で、光ディスク識別コードＫ１に対応した記録制御パラメータＰ１及び粗悪な光ディスクの光ディスク識別コードＫ１を、サーバ装置３０から各記録再生装置１に送信すると共に、各記録再生装置１からもサーバ装置３０に送信することができるため、ユーザが実際に使用している光ディスク３及びその品質を把握することができる。
【０１２１】
さらに、記録再生装置１では、光ディスク３が光ディスクドライブ２に装填されると、光ディスク判別処理に先立って、種類別使用頻度格納テーブルＴ１における使用頻度の統計結果に基づいて、使用頻度の高い光ディスク３から判別を開始させることにより、例えば所定の枚数単位である同一ロットの光ディスク３が連続的に光ディスクドライブ２に装填されるようなときに、この光ディスク３の判別時間を格段的に低減することができる。
【０１２２】
以上の構成によれば、光ディスク３に最適化して記録するための記録レーザパワーやライトストラテジを選定して、これらを記録制御パラメータＰ１とし、当該記録制御パラメータＰ１と光ディスク３から読み出された光ディスク識別コードＫ１とを対応づけてハードディスクドライブ４に記録しておき、当該記録制御パラメータＰ１に基づいて光ディスク３に記録データを最適化して記録することにより、光ディスクドライブ２内の不揮発性メモリ２１に記録させる場合に比して膨大な数の記録制御パラメータＰ１を記録することができるため、様々な種類の光ディスク３に対応させて光ディスク３に記録データを最適化して記録することができると共に、記録制御パラメータＰ１を選定せずに、ハードディスクドライブ４から読み出すだけで光ディスク３に記録データを最適化して記録することができるため、当該記録制御パラメータＰ１の選定時間を格段的に低減することができ、かくしてユーザの使い勝手を向上させることができる。
【０１２３】
（６）他の実施の形態
なお上述の実施の形態においては、所定のデータとして、映像データを適用した場合について述べたが、本発明はこれに限らず、例えば音声データやストレージデータであっても良く、この種々のデータを適用することができる。
【０１２４】
また上述の実施の形態においては、光ディスクにデータを最適化して記録するためのパラメータとして、記録レーザパワー、ライトストラテジ及び機械的な反り値を適用した場合について述べたが、本発明はこれに限らず、この他種々のパラメータに適用することができる。
【０１２５】
さらに上述の実施の形態においては、供給される光ディスク種類選択データＤ５に応じて、使用頻度の最も高い光ディスク３の種類から判別を開始し、当該光ディスクでなかったときには通常の判別処理をした場合について述べたが、本発明はこれに限らず、使用頻度の高い順に光ディスク３の種類を順次判別するようにしても良く、使用頻度の高い順に所定数の光ディスク３の種類を判別するようにしても良く、この他種々の判別順で光ディスク３の種類を判別することができる。
【０１２６】
さらに上述の実施の形態においては、ハードディスクドライブに記録されたパラメータのうち、使用頻度の高い所定数のパラメータを格納するために、光ディスク種類判別データに基づいて種類別使用頻度統計テーブルＴ１において使用頻度を統計した場合について述べたが、本発明はこれに限らず、光ディスクに上記データを記録するために、光ディスクの識別コードが読み出されたときに、当該識別コードに応じたパラメータをハードディスクドライブから読み出してメモリに格納するようにしても良い。
【０１２７】
さらに上述の実施の形態においては、識別コードごとのパラメータの使用頻度を統計して、当該統計結果をハードディスクドライブ４に記録するために、光ディスク種類判別データに基づいて種類別使用頻度統計テーブルＴ１において使用頻度を統計した場合について述べたが、本発明はこれに限らず、その他種々のテーブルやリストに格納するようにしても良く、この他種々の方法で識別コードごとのパラメータの使用頻度を統計するようにしても良い。
【０１２８】
さらに上述の実施の形態においては、光ディスクから読み出された当該光ディスクの識別コードと選定手段により選定されたパラメータとを対応づけるために、光ディスク識別コードＫ１記録制御パラメータＰ１とを光ディスク識別コード格納リストＬ１に格納した場合について述べたが、本発明はこれに限らず、その他種々のテーブルやリストに格納するようにしても良く、この他種々の方法で識別コードとパラメータとを対応付けるようにしても良い。
【０１２９】
さらに上述の実施の形態においては、共有システム４０としてサーバ装置３０を適用した場合について述べたが、本発明はこれに限らず、要は、パラメータを保持するための保持手段と、パラメータを記録再生装置に送信する送信手段とが設けられた情報処理装置であれば良い。
【０１３０】
さらに上述の実施の形態においては、光ディスクドライブとハードディスクドライブとを有する記録再生装置として、上述の記録再生装置１を適用した場合について述べたが、本発明はこれに限らず、これに加えて例えばメモリースティック（ソニー株式会社  登録商標）等の小型リムーバブルメディアドライブ等が設けられた記録再生装置であっても良い。
【０１３１】
この場合には、例えばパーソナルコンピュータや携帯電話機等を介して得られた記録制御パラメータを小型リムーバブルメディアに格納し、これを記録再生装置の小型リムーバブルメディアドライブに装填させることによっても、情報共有することができる。
【０１３２】
さらに上述の実施の形態においては、光ディスク識別コードＫ１及び対応する使用頻度、粗悪光ディスク識別フラグ及び記録制御パラメータＰ１を記録再生装置１に送信させた場合について述べたが、本発明はこれに限らず、例えばこれ以外にも、メーカからの回収告知等のこの他種々の光ディスクに関する情報を送信することができる。
【０１３３】
さらに上述の実施の形態においては、光ディスクとしてＤＶＤ、ＣＤ、ＤＶＤ−ＲＯＭ、ＤＶＤ±Ｒ、ＤＶＤ±ＲＷ、ＣＤ−ＲＯＭ、ＣＤ−Ｒ及びＣＤ−ＲＷを適用した場合について述べたが、本発明はこれに限らず、ブルーレイディスク（登録商標）やＤＶＤ−ＲＡＭ等のディスクを加えた様々な光ディスクに適用することができる。
【０１３４】
さらに上述の実施の形態においては、一連の処理をそれぞれの機能を有するハードウェアにより実行させた場合について述べたが、本発明はこれに限らず、ソフトウエアにより実行させるようにしても良い。このとき、一連の処理をソフトウエアにより実行させる場合には、そのソフトウエアを構成するプログラムが専用のハードウェアに組み込まれているコンピュータに対して、各種プログラムをインストールすることで各種の機能を実行することが可能となり、汎用のパーソナルコンピュータなどに記録媒体からインストールされる。そしてこの記録媒体は、例えば光ディスク、光磁気ディスク、半導体メモリ、磁気ディスク等の種々の記録媒体を適用することができる。また汎用のパーソナルコンピュータなどに例えばインターネット等のネットワークを介してダウンロードすることによって、各種プログラムをインストールするようにしても良い。
【産業上の利用可能性】
【０１３５】
本発明は、光ディスクドライブとハードディスクドライブとを有する記録再生装置の他、
これに加えて、小型リムーバブルメディアドライブ等が設けられたこの他種々の記録再生装置に適用することができる。
【図面の簡単な説明】
【０１３６】
【図１】本実施の形態による記録再生装置の構成を示す略線図である。
【図２】本実施の形態による光ディスクドライブの構成を示す略線図である。
【図３】種類別使用頻度統計テーブルの説明に供する概念図である。
【図４】光ディスク識別コード格納リストの説明に供する概念図である。
【図５】本実施の形態による共有システムの構成を示す略線図である。
【図６】本実施の形態によるサーバ装置の構成を示す略線図である。
【図７】光ディスク判別時間短縮処理手順を示すフローチャートである。
【図８】光ディスク最適化記録処理手順を示すフローチャートである。
【図９】光ディスク最適化記録処理手順を示すフローチャートである。
【符号の説明】
【０１３７】
１……記録再生装置、２……光ディスクドライブ、３……光ディスク、４……ハードディスクドライブ、５……操作部、６……制御部、２０……光ディスクドライブ制御部、２１……不揮発性メモリ、２２……レーザ回路、２４……ＲＦ処理部、３０……サーバ装置、３１……サーバ制御部、３３……記録用データベース、４０……情報共有システム、Ｄ４……光ディスク種類判別データ、Ｄ５……光ディスク種類選択データ、Ｋ１……光ディスク識別コード、Ｐ１……記録制御パラメータ、Ｌ１……光ディスク識別コード格納リスト、Ｌ２……メモリ光ディスク識別コード格納リスト、Ｌ３……サーバ光ディスク識別コード格納リスト、Ｔ１……種類別使用頻度統計テーブル、ＲＴ１……光ディスク判別時間短縮処理手順、ＲＴ２……光ディスク最適化記録処理手順。
【図１】
2006309845.tif 000003
【図２】
2006309845.tif 000004
【図３】
2006309845.tif 000005
【図４】
2006309845.tif 000006
【図５】
2006309845.tif 000007
【図６】
2006309845.tif 000008
【図７】
2006309845.tif 000009
【図８】
2006309845.tif 000010
【図９】
2006309845.tif 000011